(57)【要約】  【課題】靴内部の熱気による足の蒸れを軽減すべく、通気性が高く、排水性を高め、さらに履き心地を損なわない靴を提案する。  【解決手段】ミッドソール４下面の前足側踏みつけ部分に、横溝８と縦溝９を設け、横溝８と縦溝９が連通し、横溝８がミッドソール４の左右側面まで達し、通気用の開口６に連通する。さらに横溝８はミッドソール４の両側面から横幅方向中心部分にかけて溝が深くなるよう形成されている。またアウトソール５上面の前足側踏みつけ部分には突起条１１が設けられ、突起条１１は横溝８および縦溝９に沿うように上方に突出しており、横溝８と縦溝９と突起条１１により構成される通気孔がアーチ状となる。  【選択図】図６
2010063727.tif 000002
【特許請求の範囲】
【請求項１】
ミッドソールおよびアウトソールを有する靴底を備えた靴であって、
ミッドソール下面側の少なくとも前足側踏みつけ部分に横溝が形成されており、前記横溝は前記ミッドソール一方側面から他方側面まで連通し、両側面から横幅方向中心にかけて溝が深くなるよう構成され、
前記ミッドソールは、厚み方向に貫通し前記横溝に連通する貫通孔を備え、
前記アウトソール上面側に前記横溝との間に隙間を残した状態で嵌合する第一の突起条を設け、この第一の突起条が前記横溝に沿うように側面から横幅方向中心にかけて高く形成されていることを特徴とする靴。
【請求項２】
前記横溝が複数設けられ、これらの横溝に直交して前記横溝どうしを連通させる縦溝を有し、
同縦溝との間に隙間を残した状態で嵌合する第二の突起条が前記アウトソール上面に設けられていることを特徴とする請求項１記載の靴。
【請求項３】
前記ミッドソール上面側の少なくとも前足側踏みつけ部分に凹部が設けられ、
前記貫通孔が前記凹部に連通することを特徴とする請求項１または２のいずれか記載の靴。
【請求項４】
前記凹部に通気性を有するクッション材を配することを特徴とする請求項３記載の靴。
【請求項５】
前記クッション材の下面に、空気を通し水を通さない通気防水シートを備えることを特徴とする請求項４記載の靴。
【請求項６】
アッパーと前記ミッドソールとの間に、前記クッション材に相対する位置に前記クッション材に対応する形状の開口部を設け、同開口部に通気性素材を貼り付けた中底を有することを特徴とする請求項５記載の靴。
【請求項７】
前記前足側踏みつけ部分と同様の構成で踵部分が形成されていることを特徴とする請求項２〜６のいずれか記載の靴。
【発明の詳細な説明】
【技術分野】
【０００１】
本発明は、通気性を有する靴に関する。
【背景技術】
【０００２】
従来、通気性を有する靴底を備えた靴については多数提案されている。例えば特許文献１には、弾性を有する靴底の内面側の少なくとも前足側踏み付け部位と土踏まず部位にわたるほぼ一定深さの凹部を設け、前記凹部には多数の貫通孔を備え且つ下面に多数の突起を備えた弾性を有するシートにより通気室を形成し、前記土踏まず部位において接地面から前記通気室に連通する通気孔を設け、前記踏み付け部位において前記凹部と接地面との間に前記凹部に連通する空間部を設けた、通気性を有する靴が記載されている。
【０００３】
また特許文献２では、靴底の上面に凹部が形成され、該凹部の底面に横溝が形成され、該横溝は前記靴底の側面に形成された通気孔と連通され、前記凹部に弾力性を有するブロック体がはめ込まれ、該ブロック体の上部が前記靴底の上面よりも上方に突出し、前記ブロック体に縦孔が形成され、前記凹部の底面状に荷重がかかったときに前記ブロック体が前記横溝に入り込むことを防ぐための支持シートが配され、該支持シートは通気性を有し、前記縦穴および支持シートを通じて靴内部と前記横溝が連通され、前記ブロック体に荷重がかかったときに前記縦穴が変形して、前記通気孔と靴内部との間で空気の流出入が生じることで、通気性を有する靴が記載されている。
【特許文献１】特開２００５−２３０２５５号
【特許文献２】特開２００６−３２０６５７号
【発明の開示】
【発明が解決しようとする課題】
【０００４】
しかしながら、特許文献１の構造では、空気の流入および排出が靴底下面に設けられた通気用の開口からのみとなり、十分な通気性を得ることができない。また靴底下面に通気用の開口を配するため、雨の中を歩行する際に、靴底下面より簡単に水が流入し、防水シートが水を吸い込み、すぐに機能を果たなくなる。さらに靴底下面に通気用の開口を配する構造であるため、地面に落ちている小石等をポンプ室に入り込まないようメッシュを靴底に設けなければならず、コストが増大する。
【０００５】
特許文献２の構造では、靴底のアウトソール側に横溝を備えており、さらに空気の通り道である当該横溝が地面に水平に設けられているため、雨の中を歩行する際に、アウトソール側面に設けられた通気孔から該横溝に水が流入しやすく、また排水されにくい。そのため、雨の中を歩行する際などは、靴内に水が入り込み靴内が蒸れる結果となる。また小石等が該通気孔より横溝に入り込んだ場合にも小石が排出されない。さらには、ミッドソールの底面が面一で形成されているため、歩行時に通気孔より流入する空気が少なく、また踏み込み時に流入した空気が全体に分散し、空気の排出も少なく、十分な通気性を得ることができない。
【０００６】
本発明は上記に鑑み、空気の流入・排出機能を高め、高い通気性を確保するだけでなく、水分の流入を軽減し、排水性を高めた靴を提供することを目的とする。
【課題を解決するための手段】
【０００７】
請求項１に係る靴は、ミッドソールおよびアウトソールを有する靴底を備えた靴であって、ミッドソール下面側の少なくとも前足側踏みつけ部分に横溝が形成されており、前記横溝は前記ミッドソール一方側面から他方側面まで連通し、両側面から横幅方向中心にかけて溝が深くなるよう構成され、前記ミッドソールは厚み方向に貫通し、前記横溝に連通する貫通孔を備え、前記アウトソール上面側の少なくとも前足側踏みつけ部分に前記横溝との間に隙間を残した状態で嵌合する第一の突起条を設け、この第一の突起条が前記横溝に沿うように側面から横幅方向中心にかけて高く形成されていることを特徴とする。
【０００８】
この請求項１によれば、ミッドソール下面側に設けられた横溝が、前記ミッドソール一方側面から他方側面まで連通し、横幅方向中心部からミッドソール両側面にかけて下向きに傾斜しており、前記アウトソール上面側に設けられた第一の突起条が前記横溝に沿うように側面側から横幅方向中心部にかけて高くなるよう形成されているため、空気の通り道（以下、通気孔という。）が靴底の横幅方向中心が両側面に比し高い位置となる。そのため、アウトソール側に横溝および通気孔の開口が配される場合に比し、通気用の開口がより高い位置にあるため、靴内に水が流入しにくい。さらに通気孔が靴底の横幅方向中心を両側面に比し高い位置となるよう構成されているため、水が靴内に流入しにくく、排水もされやすい。それ以外にも、通気用の開口が靴底底面に設けられている靴に比して、地面の小石などが通気用の開口から通気孔内に入りづらく、小石の入り込みを防止するためのメッシュ布等が不要でコストもかからない。
【０００９】
また本発明では、空気の導入口である靴底側面の通気用の開口から靴内までの経路が短いため、靴内への空気の流入がスムーズにでき、高い通気性が期待できる。
【００１０】
請求項２に係る靴は、前記横溝が複数設けられ、これらの横溝に直交し、前記横溝どうしを連通させる縦溝を有し、同縦溝との間に隙間を残した状態で嵌合する第二の突起条が前記アウトソールに設けられていることを特徴とする。
【００１１】
この請求項２によれば、前記横溝のみを前記ミッドソール下面に設けた場合に比し、縦溝を設けることで、通気孔が広くなり靴底内に取り入れられる空気量が増加し、高い通気性が期待できる。
【００１２】
請求項３に係る靴は、前記ミッドソール上面側の少なくとも前足側踏みつけ部分に凹部が設けられ、前記貫通孔が前記凹部に連通することを特徴とする。
【００１３】
この請求項３によれば、前記ミッドソール上面側に設けられた前記凹部により空間ができ、靴底内に取り入れられる空気量がさらに増加し、より高い通気性が期待できる。なお前記凹部は例えばつま先部分など他の部分を含む大きさで設けたり、複数箇所に設けたりすることができる。
【００１４】
請求項４に係る靴は、前記凹部に通気性を有するクッション材を配することを特徴とする。
【００１５】
この請求項４によれば、歩行の際の踏み込み時に前記クッション材が圧縮され、足を持ち上げた時には前記クッション材が復元するというポンプ作用によって、空気の流入・排出が行われることで、靴の通気性を高めることができる。
【００１６】
請求項５に係る靴は、前記クッション材の下面に、空気を通し水を通さない通気防水シートを備えることを特徴とする。
【００１７】
この請求項５によれば、靴内への空気の流入を確保したまま、水の流入を確実に防止することができる。
【００１８】
請求項６に係る靴は、アッパーと前記ミッドソールとの間に、前記クッション材に相対する位置に前記クッション材に対応する形状の開口部を設け、同開口部に通気性素材を貼り付けた中底を有することを特徴とする。
【００１９】
この請求項６によれば、前記中底をそのまま用いる場合や前記中底に小孔を複数設けた場合に比し、靴内とクッション材との間で空気が流通しやすく靴内の通気性をより向上することが可能である。
【００２０】
請求項７に係る靴は、前記前足側踏みつけ部分と同様の構成で踵部分が形成されていることを特徴とする。
【００２１】
この請求項７によれば、前足側踏み付け部のみに空気を流入・排出するための構造を設けた場合に比して、靴内の通気性をさらに高めることが可能である。
【発明の効果】
【００２２】
本発明によると、靴底側面に設けられた通気用の開口を介して靴内への空気流入・排出が可能であり、高い通気性を得ることができる。また、靴底内の通気孔が中央部より両側面に向けそれぞれ下向きに傾斜が付けられているため、排水性能が高く、水の流入を最小限に抑えることができるという効果を得られる。また靴内に設けられたクッション材を歩行時に踏み付けることで、前記クッション材がポンプの役割をし、さらに高い通気性を得ることができる。
【発明を実施するための最良の形態】
【００２３】
以下、本発明の実施の形態を図面に沿って説明する。図１〜図７は、本発明にかかる靴の実施形態を示すものである。図１は、本発明にかかる靴の斜視図である。図２は本発明にかかる靴の靴底ミッドソール部分の下面を一方側面の上方から斜めに見下ろした斜視図である。図３は、同靴底ミッドソール部分の上面を上方から斜めに見下ろした斜視図である。図４は、同靴底ミッドソール部分のＡ−Ａ’断面図である。図５は、同靴底アウトソール部分の上面からの斜視図である。図６は、本発明にかかる靴のＢ−Ｂ’断面図である。図７は、本発明にかかる靴の構造を部品ごとに分解した斜視図である。
【００２４】
図１に示すとおり、靴１はアッパー２と靴底３と中底１６と中敷１８より構成され、靴底３はミッドソール４とアウトソール５により構成されており、ミッドソール４の下面とアウトソール５の上面が接着されている。またアッパー２は中底１６に吊り込まれたのち、ミッドソール４の上面に接着され、靴底３と一体となり靴１を構成している。
【００２５】
図２および図３に示すように、ミッドソール４下面の前足側踏みつけ部分には、横溝８と縦溝９が設けられており、横溝８と縦溝９は連通している。また横溝８はミッドソール４の左右側面にまで達し、通気用の開口６に連通する。さらに横溝８はミッドソール４の両側面から横幅方向中心部にかけて溝が漸次深くなるよう形成されており、アーチ状の通気孔を構成する（図４参照）。このように、横幅方向中央部から両側面にかけてそれぞれ下向きに傾斜をもたせたアーチ状の通気孔とすることで、水平の通気孔である場合に比して、排水性を高めること及び水の流入を最小限に抑えることができるのである。また通気用の開口６を靴底３の側面に設けているため、通気用の開口６が靴底底面に設けられている場合に比して、靴内への水の流入を軽減することができ、靴の寿命が延びる。
【００２６】
横溝８と縦溝９の各交差部分には、ミッドソール４の下面から、ミッドソール４の上面に形成した凹部７に貫通する、貫通孔１０が設けられている（図６参照）。
【００２７】
図５に示すように、アウトソール５の上面の前足側踏みつけ部分には突起条１１が設けられ、突起１１は第一の突起条（横方向の突起）１２と第二の突起条（縦方向の突起）１３より構成されている。また突起条１１はミッドソール４の下面に設けられた横溝８および縦溝９に沿うように上方に突出しており、ミッドソール４とアウトソール５を貼り合わせた際に、溝８，９と突起条１１により構成される通気孔の高さ寸法が略均一となるように、突起条１１の突出寸法を定めている。具体的には、横方向の突起条１２については、アウトソール５の両側面から横幅方向中心部にかけて、突出寸法が漸次大きくなるように形成されている。
【００２８】
図６および図７に示すように、ミッドソール４の上面に設けた凹部７の平面形状に対応する形状であって、空気を通し、水を通さない特殊な通気防水シート１４を凹部７の底面に貼り付けている。
【００２９】
通気防水シート１４の上面には、通気性のある連続気泡のスポンジ素材のクッション材１５が配されている。なおクッション材１５の形状は、平面形状が通気防水シート１４と同一又は一回り小さい形状であって、高さが凹部７の高さ寸法と略同一又はそれよりも大きな寸法であり、凹部７に嵌め込み配置されている。またクッション材１５の材質は、スポンジ素材に限定されるものではなく、通気性を有する弾性素材であればよい。
【００３０】
中底１６は、クッション材１５と相対する部分に開口部が設けられ、その開口部には、たとえばメッシュ構造の不織布などの通気性のある素材を用いた通気性シート１７が貼り付けられている。
【００３１】
また中敷１８は、通気性のある素材により形成され、通気性シート１７の上に配されている。
【００３２】
なお図８に示すように、前記の通気性および排水性を高めた構造は、前足側踏みつけ部分にのみ備えられたものに限定されるものでなはく、前足側踏みつけ部分以外にも踵部分に同様の構造を備えることも可能である。
【００３３】
このように踵部分にも前記構造を備えることによって、前足側踏みつけ部分および踵部分からの通気が可能となり、さらに通気性を高めた靴を提供することができる。
（実施例１）
本発明にかかる靴は、上記のように横溝８と縦溝９および横方向の突起条１２と縦方向の突起条１３を備える場合に限定されるものでなく、縦溝９および縦方向の突起条１３を有さず横溝８および横方向の突起条１２のみを有し、通気孔が横方向のみに広がる構造とし、貫通孔１０を横溝８に均等に配する構成としても、本発明の通気・排水効果を達成することができる（図９（ａ）、図９（ｂ）参照）。
（実施例２）
また通気孔をアーチ形状とする場合以外にも、横溝８がミッドソール４の両側面から横幅方向中心部にかけて溝が直線的に漸次深くなるよう形成され、横方向の突起条１２について、アウトソール５の両側面から横幅方向中心部にかけて、突出寸法が直線的に漸次大きくなるように形成されており、通気孔が横幅方向中心を頂点とし、両側面側に下向きに直線的に傾斜している形状としてもよい（図１０（ａ）参照）。
（実施例３）
さらに実施例２以外でも、通気孔が横幅方向中心から両側面にかけ、下向きの階段状とする形状としてもよい（図１０（ｂ）参照）。
【図面の簡単な説明】
【００３４】
【図１】本発明にかかる靴の斜視図である。
【図２】本発明にかかる靴の靴底ミッドソール部分の下面を一方側面の上方から斜めに見下ろした斜視図である。
【図３】本発明にかかる靴の靴底ミッドソール部分の上面を上方から斜めに見下ろした斜視図である。
【図４】本発明にかかる靴の靴底ミッドソール部分のＡ−Ａ’断面図である。
【図５】本発明にかかる靴の靴底アウトソール部分の上面からの斜視図である。
【図６】本発明にかかる靴のＢ−Ｂ’断面図である。
【図７】本発明にかかる靴の構造を部品ごとにばらした斜視図である。
【図８】（ａ）本発明にかかる靴の通気・排水構造を前足側踏みつけ部分および踵部分に配した靴の靴底ミッドソール部分の斜視図である。
【００３５】
（ｂ）本発明にかかる靴の通気・排水構造を前足側踏みつけ部分および踵部分に配した靴の靴底アウトソール部分の斜視図である。
【図９】（ａ）本発明にかかる靴の通気孔が横幅方向のみに備えた実施例１の靴の靴底ミッドソール部分の下面を一方側面の上方から斜めに見下ろした斜視図である。
【００３６】
（ｂ）本発明にかかる靴の通気孔が横幅方向のみに備えた実施例１の靴の靴底アウトソール部分の上面を上方から斜めに見下ろした斜視図である。
【図１０】（ａ）本発明にかかる実施例２の通気孔を有する靴のＢ−Ｂ’断面図である。
【００３７】
（ｂ）本発明にかかる実施例３の通気孔を有する靴のＢ−Ｂ’断面図である。
【符号の説明】
【００３８】
１  靴
２  アッパー
３  靴底
４  ミッドソール
５  アウトソール
６  通気用の開口
７  凹部
８  横溝
９  縦溝
１０  貫通孔
１１  突起条
１２  横方向の突起条
１３  縦方向の突起条
１４  通気防水シート
１５  クッション材
１６  中底
１７  通気性シート
１８  中敷
【図１】
2010063727.tif 000003
【図２】
2010063727.tif 000004
【図３】
2010063727.tif 000005
【図４】
2010063727.tif 000006
【図５】
2010063727.tif 000007
【図６】
2010063727.tif 000008
【図７】
2010063727.tif 000009
【図８】
2010063727.tif 000010
【図９】
2010063727.tif 000011
【図１０】
2010063727.tif 000012
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
ミッドソールおよびアウトソールを有する靴底を備えた靴であって、
ミッドソール下面側の少なくとも前足側踏みつけ部分に横溝が形成されており、前記横溝は前記ミッドソール一方側面から他方側面まで連通し、両側面から横幅方向中心にかけて漸次深くなるアーチ状の溝が構成され、
前記ミッドソールは、厚み方向に貫通し前記横溝に連通する貫通孔を備え、
前記アウトソール上面側に前記横溝との間に隙間を残した状態で嵌合する第一の突起条を設け、この第一の突起条が前記横溝に沿うように側面から横幅方向中心にかけて漸次高く形成し、アーチ状の通気孔が構成され、
前記ミッドソール上面側の少なくとも前足側踏みつけ部分に凹部を設け、前記貫通孔が前記凹部に連通して、
前記凹部に通気性を有するクッション材を配し、前記クッション材の下面には空気を通し水を通さない通気防水シートを備えることを特徴とする靴。
【請求項２】
前記横溝が複数設けられ、これらの横溝に直交して前記横溝どうしを連通させる縦溝を有し、
同縦溝との間に隙間を残した状態で嵌合する第２の突起条が前記アウトソール上面に設けられていることを特徴とする請求項１記載の靴。
【請求項３】
アッパーと前記ミッドソールとの間に、前記クッション材に相対する位置に前記クッション材に対応する形状の開口部を設け、同開口部に通気性素材を貼り付けた中底を有することを特徴とする請求項１または２に記載の靴。
【請求項４】
前記前足側踏みつけ部分と同様の構成で踵部分が形成されていることを特徴とする請求項１〜３のいずれか記載の靴。
【手続補正２】
【補正対象書類名】明細書
【補正対象項目名】０００７
【補正方法】変更
【補正の内容】
【０００７】
請求項１に係る靴は、ミッドソールおよびアウトソールを有する靴底を備えた靴であって、ミッドソール下面側の少なくとも前足側踏みつけ部分に横溝が形成されており、前記横溝は前記ミッドソール一方側面から他方側面まで連通し、両側面から横幅方向中心にかけて漸次深くなるアーチ状の溝が構成され、前記ミッドソールは、厚み方向に貫通し前記横溝に連通する貫通孔を備え、前記アウトソール上面側に前記横溝との間に隙間を残した状態で嵌合する第一の突起条を設け、この第一の突起条が前記横溝に沿うように側面から横幅方向中心にかけて漸次高く形成し、アーチ状の通気孔が構成され、前記ミッドソール上面側の少なくとも前足側踏みつけ部分に凹部を設け、前記貫通孔が前記凹部に連通して、前記凹部に通気性を有するクッション材を配し、前記クッション材の下面には空気を通し水を通さない通気防水シートを備えることを特徴とする。
【手続補正３】
【補正対象書類名】明細書
【補正対象項目名】０００８
【補正方法】変更
【補正の内容】
【０００８】
この請求項１によれば、ミッドソール下面側に設けられた横溝が、前記ミッドソール一方側面から他方側面まで連通し、横幅方向中心部からミッドソール両側面にかけて下向きに漸次傾斜しており、前記アウトソール上面側に設けられた第一の突起条が前記横溝に沿うように側面側から横幅方向中心部にかけて漸次高くなるよう形成され、空気の通り道（以下、通気孔という。）がアーチ状であるため、靴底の横幅方向中心が両側面に比し高い位置となる。そのため、アウトソール側に横溝および通気孔の開口が配される場合に比し、通気用の開口がより高い位置にあるため、靴内に水が流入しにくい。さらに通気孔が靴底の横幅方向中心を両側面に比し高い位置となるよう構成されているため、水が靴内に流入しにくく、排水もされやすい。それ以外にも、通気用の開口が靴底底面に設けられている靴に比して、地面の小石などが通気用の開口から通気孔内に入りづらく、小石の入り込みを防止するためのメッシュ布等が不要でコストもかからない。さらには、前記ミッドソール上面側の少なくとも前足側踏みつけ部分に凹部を設け、前記貫通孔が前記凹部に連通して、前記凹部に通気性を有するクッション材を配することにより、靴底内の空間が広くなり靴底内に取り入れられる空気量が増加し、さらには歩行の際の踏み込み時に前記クッション材が圧縮され、足を持ち上げた時には前記クッション材が復元するというポンプ作用によって、空気の流入・排出が行われ、さらに高い通気性が期待できる。また、前記クッション材の下面には空気を通し水を通さない通気防水シートを備えているため、前記アーチ状の通気孔と組み合わさり、さらに高い防水性と排水性を期待することができる。
【手続補正４】
【補正対象書類名】明細書
【補正対象項目名】０００９
【補正方法】変更
【補正の内容】
【０００９】
くわえて本発明では、空気の導入口である靴底側面の通気用の開口から靴内までの経路が短く、靴内への空気の流入がスムーズにできるため、より高い通気性が期待できる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
請求項３に係る靴は、アッパーと前記ミッドソールとの間に、前記クッション材に相対する位置に前記クッション材に対応する形状の開口部を設け、同開口部に通気性素材を貼り付けた中底を有することを特徴とする。
【手続補正１２】
【補正対象書類名】明細書
【補正対象項目名】００１９
【補正方法】変更
【補正の内容】
【００１９】
この請求項３によれば、前記中底をそのまま用いる場合や前記中底に小孔を複数設けた場合に比し、靴内とクッション材との間で空気が流通しやすく靴内の通気性をより向上することが可能である。
【手続補正１３】
【補正対象書類名】明細書
【補正対象項目名】００２０
【補正方法】変更
【補正の内容】
【００２０】
請求項４に係る靴は、前記前足側踏みつけ部分と同様の構成で踵部分が形成されていることを特徴とする。
【手続補正１４】
【補正対象書類名】明細書
【補正対象項目名】００２１
【補正方法】変更
【補正の内容】
【００２１】
この請求項４によれば、前足側踏み付け部のみに空気を流入・排出するための構造を設けた場合に比して、靴内の通気性をさらに高めることが可能である。
【手続補正１５】
【補正対象書類名】明細書
【補正対象項目名】００２２
【補正方法】変更
【補正の内容】
【００２２】
本発明によると、靴底側面に設けられた通気用の開口を介して靴内への空気流入・排出が可能であり、高い通気性を得ることができる。また、靴底内の通気孔が中央部より両側面に向けそれぞれ下向きに傾斜が付けられているため、排水性能が高く、水の流入を最小限に抑えることができるという効果を得られる。また靴内に設けられたクッション材を歩行時に踏み付けることで、前記クッション材がポンプの役割をし、さらに高い通気性を得ることができる。以上のとおり、本発明は、高い通気性および高い防水性と排水性を同時に確保できる。